(57)【特許請求の範囲】
【請求項１】
少なくとも１つのキー（１０）及び少なくとも１つの光源（５）が設けられた電気通信用着信送出器（１）であって、前記の少なくとも１つのキー（１０）が光透過性の材料から成っている形式のものにおいて、
プリント配線板（４０）が少なくとも１つの孔（４５）を有しており、光源（５）が前記プリント配線板（４０）の第１の側に導電接続されており、キー（１０）が前記プリント配線板（４０）の第１の側とは反対の側に、前記光源（５）が前記キー（１０）を孔（４５）を介して照射するように配置されており、電気通信用着信送出器（１）がスイッチマットを有しており、該スイッチマットに少なくとも１つのキー（１０）が載着されており、前記スイッチマットが光導波路として働くようになっており、前記プリント配線板（４０）が、前記第１の側とは反対の側に２つの金属の対応コンタクト（３５）を有しており、これらの対応コンタクトが、少なくとも１つのキー（１０）の操作時に互いに導電接続されるようになっており、前記キー（１０）が、止り孔（３０）を備えた光透過性の押圧部材（２０）を有しており、該押圧部材（２０）が、前記キー（１０）の操作時に、プリント配線板（４０）の少なくとも１つの対応コンタクト（３５）に対する接触に役立つことを特徴とする、電気通信用着信送出器。
【請求項２】
前記押圧部材（２０）が、前記キー（１０）の操作時に、前記押圧部材（２０）の少なくとも１つのコンタクト（２５）をプリント配線板（４０）の少なくとも１つの対応コンタクト（３５）に対して押圧し、これにより接触が行われる、請求項１記載の電気通信用着信送出器。
【請求項３】
光源（５）が電気通信用着信送出器（１）の作動状態を光学的に信号化し、しかも、キー（１０）の操作によってその作動状態に対応する機能がトリガ可能であると、前記光源（５）がキー（１０）を電気通信用着信送出器（１）の作動状態に関連して照射する、請求項１又は２記載の電気通信用着信送出器。
【請求項４】
光源（５）が着信を光学的に信号化し且つキー（１０）を着信時に照射し、該キー（１０）の操作により、かかってきている電話の受信が行われる、請求項１から３までのいずれか１項記載の電気通信用着信送出器。
【請求項５】
光源（５）が発光ダイオードとして形成されている、請求項１から４までのいずれか１項記載の電気通信用着信送出器。
【請求項６】
光源（５）がキー（１０）を点滅式で照射する、請求項１から５までのいずれか１項記載の電気通信用着信送出器。
【発明の詳細な説明】
【０００１】
背景技術
本発明は、請求項１の上位概念に記載の形式の電気通信用着信送出器（Telekommunikationsendgeraet)から出発する。
【０００２】
ヨーロッパ特許第０５２６７１５号明細書に基づき既に公知の携帯電話用の支持部材の場合、携帯電話はトレーに移行するピンに載着されている。この場合、これらのトレー及びピンは透明又は半透明のプラスチックから製作されていてよい。半透明又は透明の材料を使用することにより、トレー及び場合によってはピンをも、電気通信用着信送出器の内部に適当に配置された光源によって照射することが可能である。このことは、例えば電話の光学的な信号化のために使用される。
【０００３】
発明の利点
請求項１の特徴部に記載の構成を有する本発明による電気通信用着信送出器は、光透過性の材料から成る少なくとも１つのキーが設けられており、該キーの操作によってその作動状態に対応する機能がトリガされると、光源が前記キーを電気通信用着信送出器の作動状態に関連して照射するという利点を有している。このようにして、個々のキーはそれぞれ別個に電気通信用着信送出器の様々な状態を信号化することができる。各作動状態に対応する機能をトリガするキーしか照射されないので、使用者にとっては当該作動状態において可能な操作機能のキー操作による選択が簡単になり、これにより、明瞭性が高められる。
【０００４】
請求項２以下に記載の構成に基づき、請求項１に記載の電気通信用着信送出器の有利な改良が可能である。
【０００５】
特に有利なのは、光源が着信を光学的に信号化し、前記光源が着信時にキーを照射し、該キーを操作することにより、かかってきている電話が受信されるということである。このようにして使用者は直ちに、着信時にどのキーを操作すべきなのかが判る。なぜならば、当該キーだけが照射されるからである。従って、使用者はまず最初必要なキーをに探さずに済むので、使用者にとっての明瞭性が高められ、電話の受信時の時間が節約される。
【０００６】
別の利点は、キーが、少なくとも該キーの領域において光透過性のスイッチマットに載着されており且つキー操作時の接触に役立つ光透過性の押圧部材を有しているという点にある。このように、光源によってキーを照射するためには、付加的な光導波路は不要である。なぜならば、前記スイッチマット及び押圧部材は、付加的に光導波路として働くからである。このようにして、材料費及び製作費並びに付加的な光導波路のためのスペース消費を節約することができる。比較的小さなスペース要求は、特に小さな構造サイズが重要な移動電話として形成された電気通信用着信送出器にとって特に有利である。
【０００７】
更に別の利点は、プリント配線板がキーの領域に孔を有しており、光源がプリント配線板のキーとは反対の側に、光が前記孔を通ってキーを照射するように配置されているという点にある。このようにして、光源はキー操作時の押圧部材による損傷から保護されており、光源からキーへの前記孔を介した給光が保証されている。
【０００８】
更に別の利点は、キー操作により接触が行われ、これにより電気通信用着信送出器の別の作動状態が生ぜしめられると、キー照射が途絶えるという点にある。このようにして、使用者にとってはキーの効果的な操作を介した光学的なコントロールの可能性が生じる。
【０００９】
更に別の利点は、かかってきている電話を受信した時はキー操作によってキー照射が途絶えるという点にある。このようにして、使用者にはキー操作による着信の効果的な受信のための光学的なコントロールの可能性が生じる。
【００１０】
更に別の利点は、光源がキーを点滅式で照射するという点にある。このようにして、より一層効果的な光学的な信号化が可能である。それというのも、電気通信用着信送出器の目下の作動状態、例えば着信に対する使用者の注意が喚起されるからである。このことは、付加的な音響による信号化装置が設けられていない場合にとりわけ重要である。更に、使用者は点滅式照射によって特に迅速に、電気通信用着信送出器の目下の作動状態に対する注意を喚起される。
【００１１】
以下に、本発明の実施例を図面につき詳しく説明する。
【００１２】
図１には符号１の付された電気通信用着信送出器が示されており、この電気通信用着信送出器１は、例えば移動電話、コードレス電話又は無線機等として形成されていてよい。電気通信用着信送出器１は、内部にキー１０が案内された凹部５５を備えたケーシング５０を有している。この場合、このキー１０は中空体を形成しており、この中空体の外壁６０は、ケーシング５０内に支承されたスイッチマット１５と一体に結合されている。キー１０は、内部に有利には円筒形の押圧部材、即ち「スイッチドーム」２０を有している。このスイッチドーム２０のプリント配線板４０に面した端面には、止り孔３０が設けられている。キー１０とスイッチマット１５とスイッチドーム２０とは、弾性的な光透過性の材料から形成されている。スイッチマット１５は、選択的にスイッチドーム２０の領域内でのみ、光透過性の材料から形成されていてもよい。スイッチドーム２０はその端面に、止り孔３０の外縁部に沿って環状に導電性材料２５、有利にはグラファイトを有している。この導電性材料２５は電気的なコンタクトとして働く。スイッチマット１５は、プリント配線板４０に載着されている。このプリント配線板４０は、キー１０に面した側に２つの金属の対応コンタクト３５を有しており、これらの対応コンタクト３５は、それぞれスイッチドーム２０が適宜押し下げられた場合にコンタクト２５を介して互いに導電接続されるように、コンタクト２５の領域に配置されている。この場合、２つの対応コンタクト３５は、プリント配線板４０に設けられた孔４５の縁部の側方に配置されている。プリント配線板４０のスイッチドーム２０とは反対の側には、発光ダイオードとして形成された光源５が、プリント配線板４０に例えば表面実装用部品（ＳＭＤ）として配置されており、この場合、発光ダイオード５は孔４５のすぐ下に位置しているので、スイッチドーム２０は孔４５を介して発光ダイオード５によって照射される。
【００１３】
この場合、図２では、スイッチドーム２０に設けられた止り孔３０の直径は、プリント配線板４０に設けられた孔４５の直径よりもやや大きい。発光ダイオード５の光路は、スイッチドーム２０に設けられたスイッチコンタクト２５若しくはプリント配線板４０のサイドに取り付けられた対応コンタクト３５によっては遮られない。なぜならば、これらのスイッチコンタクト２５若しくは対応コンタクト３５は発光ダイオード５の光路に位置していないからである。発光ダイオード５の光は、キー１０を照射するために孔４５を介して止り孔３０を通ってスイッチドーム２０に入射する。
【００１４】
前記配置形式は、電気通信用着信送出器１の更なるキーのために規定されていてよいので、この場合は電気通信用着信送出器１の複数のキーを、それぞれ発光ダイオード５によって照射することも可能である。
【００１５】
この場合、発光ダイオード５は電気通信用着信送出器１の作動状態を光学的に信号化する。キー１０の操作により、その作動状態に対応する機能がトリガされると、発光ダイオード５はキー１０を電気通信用着信送出器１の作動状態に関連して照射する。キー１０が、例えば移動電話の呼出しキーである場合、発光ダイオード５は着信を光学的に信号化してキー１０を照射する。この場合、着信に対する使用者の注意を喚起するためには、前記照射は点滅式で行われていてもよい。この場合、着信の光学的な信号化は、付加的に呼出し音又は専ら着信の信号化のためのサポートとして役立つ。キー１０がプリント配線板４０に向かって押圧されると、スイッチドーム２０はコンタクト２５が対応コンタクト３５と接触接続するまで押し込まれる。このようにして行われる接触に基づき、呼出しキーを操作した場合はかかってきている電話の受信が行われる。これにより、電気通信用着信送出器１の作動状態が変化される。今や電気通信用着信送出器１は通話状態若しくは構築された電気通信接続の状態にある。この場合、発光ダイオード５によるキー１０の照射は途絶える。なぜならば、通話状態では呼出しキーの操作は不要であり、従って使用者にも前記照射によっては申し出られないからである。キー１０の解放時には、該キー１０はその弾性に基づきばね作用を以て出発位置に戻る。この場合、スイッチドーム２０は弾性的に弾発して戻り、コンタクト２５と対応コンタクト３５との間の接触は再び中断される。
【００１６】
本発明は、電話機として形成された電気通信用着信送出器に限定されるものではなく、任意の電気通信用着信送出器、つまり、例えばファックス装置、ページャ等にも使用可能である。
【００１７】
複数のキーが、それぞれその作動状態に対応する機能をトリガする場合は、電気通信用着信送出器１の作動状態に応じて１つ以上のキー１０が照射されていてもよい。
【図面の簡単な説明】
【図１】  本発明による電気通信着信送出器の側面図である。
【図２】  光源の光出射部用の孔の上位に設けられた、コンタクト用スイッチドームの平面図である。
【符号の説明】
１  電気通信用着信送出器、  ５  発光ダイオード、  １０  キー、  １５  スイッチマット、  ２０  スイッチドーム、  ２５  コンタクト、  ３０  止り孔、  ３５  対応コンタクト、  ４０  プリント配線板、  ４５  孔、  ５０  ケーシング、  ５５  凹部、  ６０  外壁
【図１】
0004555474.tif 000002
【図２】
0004555474.tif 000003